(57)【特許請求の範囲】
【請求項１】
仮設エレベータを用いた揚重対象物の揚重方法であって、
上下昇降し各階で停止可能な乗り篭を仮設する仮設エレベータ設置ステップと、
階数を特定する階数情報が組み込まれた階数ＩＣタグを、前記各階に対応させてそれぞれ設置する階数ＩＣタグ設置ステップと、
前記階数ＩＣタグが送信する前記階数情報を無線で受信する受信機を、前記乗り篭に設置する受信機設置ステップと、
前記受信機が受信した前記階数情報を記録する記録装置を設置する記録装置設置ステップと、を有し、
更に、
揚重開始階として前記乗り篭が停止した停止階において、前記乗り篭内に前記揚重対象物を搬入する揚重対象物搬入ステップと、
前記停止階に対応する前記階数ＩＣタグからの階数情報を前記受信機が受信して、該階数情報を、揚重開始階実績情報として前記記録装置がメモリに記録する揚重開始階実績情報記録ステップと、
前記乗り篭内に搬入された前記揚重対象物を特定するための揚重対象物特定情報を、前記揚重開始階実績情報に対応付けて前記メモリに記録する揚重対象物特定情報記録ステップと、
前記揚重対象物の揚重目標階へ前記乗り篭を移動することにより、前記揚重対象物を前記揚重目標階へ搬送する揚重対象物搬送ステップと、
前記揚重目標階として前記乗り篭が停止した停止階において、該停止階に対応する前記階数ＩＣタグからの階数情報を前記受信機が受信して、該階数情報を揚重終了階実績情報として前記記録装置が前記メモリに記録する揚重終了階実績情報記録ステップと、
前記停止階において前記乗り篭から前記揚重対象物を搬出する揚重対象物搬出ステップと、を有し、
前記揚重対象物は、工事の資機材であり、
前記資機材を使用する工事担当者は、前記資機材と共に前記乗り篭内に同乗し、
前記工事担当者には、当該工事担当者を特定する工事担当者特定情報が組み込まれた工事担当者ＩＣタグが取り付けられており、
前記揚重対象物特定情報記録ステップでは、前記メモリに記録された前記揚重開始階実績情報に対応付けて、前記工事担当者特定情報を前記メモリに記録し、
前記記録装置は、データベースを有し、当該データベースには、前記工事担当者特定情報に対応付けて、当該工事担当者が使用すべき資機材の候補を示す情報が、資機材候補情報として予め登録されており、
前記揚重対象物特定情報記録ステップは、
前記工事担当者ＩＣタグから前記工事担当者特定情報を前記受信機が受信するステップと、
受信した当該工事担当者特定情報をキーとして、前記データベースを参照することにより、前記データベースから、前記工事担当者特定情報に対応する前記資機材候補情報を抽出して前記記録装置の表示部に表示するステップと、
当該表示部に表示された前記資機材候補情報から、前記乗り篭内に搬入された前記資機材に対応する情報を選択して、当該情報を前記揚重対象物特定情報として前記メモリに記録するステップと、を有することを特徴とする仮設エレベータを用いた揚重対象物の揚重方法。
【請求項２】
請求項１に記載の仮設エレベータを用いた揚重対象物の揚重方法であって、
前記揚重対象物には、工事の資機材が含まれ、
前記資機材には、当該資機材を特定する資機材特定情報が組み込まれた資機材ＩＣタグが取り付けられており、
前記揚重対象物特定情報記録ステップでは、前記資機材ＩＣタグが送信する前記資機材特定情報を前記受信機が受信して、当該資機材特定情報を、前記揚重対象物特定情報として前記記録装置が前記メモリに記録することを特徴とする仮設エレベータを用いた揚重対象物の揚重方法。
【請求項３】
請求項１又は２に記載の仮設エレベータを用いた揚重対象物の揚重方法であって、
前記揚重開始階実績情報記録ステップでは、前記受信機が受信する複数の前記階数情報のうちで最も電波の受信強度が大きい階数情報を、前記揚重開始階実績情報として前記メモリに記録し、
前記揚重終了階実績情報記録ステップでは、前記受信機が受信する複数の前記階数情報のうちで最も電波の受信強度が大きい階数情報を、前記揚重終了階実績情報として前記メモリに記録することを特徴とする仮設エレベータを用いた揚重対象物の揚重方法。
【請求項４】
請求項１乃至３の何れかに記載の仮設エレベータを用いた揚重対象物の揚重方法であって、
前記揚重開始階実績情報記録ステップでは、前記揚重開始階実績情報に対応付けて、揚重開始に係る時刻情報が、揚重開始時刻実績情報として前記メモリに記録され、
前記揚重終了階実績情報記録ステップでは、前記揚重終了階実績情報に対応付けて、揚重終了時刻に係る時刻情報が、揚重終了時刻実績情報として前記メモリに記録されることを特徴とする仮設エレベータを用いた揚重対象物の揚重方法。
【請求項５】
請求項１乃至４の何れかに記載の仮設エレベータを用いた揚重対象物の揚重方法であって、
前記揚重対象物には、建設現場の現場関係者又は見学者が含まれ、
前記現場関係者又は見学者には、当該現場関係者又は見学者を特定する関係者特定情報が組み込まれた関係者ＩＣタグが取り付けられており、
前記揚重対象物特定情報記録ステップでは、前記関係者ＩＣタグが送信する前記関係者特定情報を前記受信機が受信して、当該関係者特定情報を、前記揚重対象物特定情報として前記記録装置が前記メモリに記録することを特徴とする仮設エレベータを用いた揚重対象物の揚重方法。
【発明の詳細な説明】
【技術分野】
【０００１】
本発明は、建設現場において資機材等の揚重対象物を、仮設エレベータを用いて揚重する方法に関する。
【背景技術】
【０００２】
建設現場では、建築材料や建設機械などの資機材を各階へ揚重する設備として、仮設エレベータが使用される。この仮設エレベータは、上下昇降する網目状の乗り篭を有する。そして、同乗り篭は、資機材管理者の管理の下、専属のオペレータにより運転操作され、例えば、次のような手順で揚重作業が行われる。
【０００３】
先ず、資機材を使用する工事担当者は、上記の資機材管理者に、揚重目標階への資機材の揚重を依頼する。すると、資機材管理者は、その旨をオペレータに指示などして、オペレータは依頼者たる上記工事担当者と協同して、揚重対象の資機材を仮設エレベータの乗り篭内に搬入する。そして、オペレータ及び工事担当者は乗り篭に同乗し、同乗り篭が揚重目標階に到着したら、オペレータ及び工事担当者は互いに協同して、資機材を乗り篭内から揚重目標階のフロアへ搬出する。そうしたら最後に、オペレータは、揚重の済んだ資機材を目視確認しながら、当該資機材の名称や製品番号等を揚重実績として適宜な記入用紙に記入する。  
但し、建設現場によっては、資機材が多種・多量となり、かかる紙への記入が煩雑となって、対応困難な場合がある。
【０００４】
この点につき、参考技術として、特許文献１には、資材に電子タグを取り付けることが開示されている。すなわち、予め揚重目標階情報を組み込んだ電子タグを資材に取り付けておく。そして、当該資材が仮設エレベータの乗り篭内に搬入された際に、同乗り篭内のタグ管理装置が、電子タグから受信した揚重目標階情報を仮設エレベータの制御部へと送信し、これにより、同制御部が乗り篭を目標階へ移動して自動的に停止して、資材の誤送を防ぐようにしている。
【先行技術文献】
【特許文献】
【０００５】
【特許文献１】特開２００９−２０８８７８号公報
【発明の概要】
【発明が解決しようとする課題】
【０００６】
しかしながら、特許文献１には、電子タグを用いて資材の揚重実績を記録することについては、詳しく開示されていない。例えば、揚重済みの資材に係る揚重実績の情報として、揚重開始階や揚重終了階の実績が記録されていれば、かかる資材のその後の管理に役立つものと考えられるが、そのようなことは一切開示されていない。  
また、その場合には仮設エレベータであるため、上述のような揚重開始階や揚重終了階の実績の記録を可能にするための改造が、大掛かりなものになるのも望ましくない。
【０００７】
本発明は、上記のような従来の問題に鑑みなされたものであって、その目的は、仮設エレベータに対して大きな改造をせずに、資機材の揚重開始階や揚重終了階の実績を記録することにある。
【課題を解決するための手段】
【０００８】
かかる目的を達成するために請求項１に示す発明は、
仮設エレベータを用いた揚重対象物の揚重方法であって、
上下昇降し各階で停止可能な乗り篭を仮設する仮設エレベータ設置ステップと、
階数を特定する階数情報が組み込まれた階数ＩＣタグを、前記各階に対応させてそれぞれ設置する階数ＩＣタグ設置ステップと、
前記階数ＩＣタグが送信する前記階数情報を無線で受信する受信機を、前記乗り篭に設置する受信機設置ステップと、
前記受信機が受信した前記階数情報を記録する記録装置を設置する記録装置設置ステップと、を有し、
更に、
揚重開始階として前記乗り篭が停止した停止階において、前記乗り篭内に前記揚重対象物を搬入する揚重対象物搬入ステップと、
前記停止階に対応する前記階数ＩＣタグからの階数情報を前記受信機が受信して、該階数情報を、揚重開始階実績情報として前記記録装置がメモリに記録する揚重開始階実績情報記録ステップと、
前記乗り篭内に搬入された前記揚重対象物を特定するための揚重対象物特定情報を、前記揚重開始階実績情報に対応付けて前記メモリに記録する揚重対象物特定情報記録ステップと、
前記揚重対象物の揚重目標階へ前記乗り篭を移動することにより、前記揚重対象物を前記揚重目標階へ搬送する揚重対象物搬送ステップと、
前記揚重目標階として前記乗り篭が停止した停止階において、該停止階に対応する前記階数ＩＣタグからの階数情報を前記受信機が受信して、該階数情報を揚重終了階実績情報として前記記録装置が前記メモリに記録する揚重終了階実績情報記録ステップと、
前記停止階において前記乗り篭から前記揚重対象物を搬出する揚重対象物搬出ステップと、を有し、
前記揚重対象物は、工事の資機材であり、
前記資機材を使用する工事担当者は、前記資機材と共に前記乗り篭内に同乗し、
前記工事担当者には、当該工事担当者を特定する工事担当者特定情報が組み込まれた工事担当者ＩＣタグが取り付けられており、
前記揚重対象物特定情報記録ステップでは、前記メモリに記録された前記揚重開始階実績情報に対応付けて、前記工事担当者特定情報を前記メモリに記録し、
前記記録装置は、データベースを有し、当該データベースには、前記工事担当者特定情報に対応付けて、当該工事担当者が使用すべき資機材の候補を示す情報が、資機材候補情報として予め登録されており、
前記揚重対象物特定情報記録ステップは、
前記工事担当者ＩＣタグから前記工事担当者特定情報を前記受信機が受信するステップと、
受信した当該工事担当者特定情報をキーとして、前記データベースを参照することにより、前記データベースから、前記工事担当者特定情報に対応する前記資機材候補情報を抽出して前記記録装置の表示部に表示するステップと、
当該表示部に表示された前記資機材候補情報から、前記乗り篭内に搬入された前記資機材に対応する情報を選択して、当該情報を前記揚重対象物特定情報として前記メモリに記録するステップと、を有することを特徴とする。
【０００９】
上記請求項１に示す発明によれば、仮設エレベータの各階に対応させて、階数ＩＣタグを設置し、乗り篭には受信機を設置する。そして、揚重開始階では、同階に対応する階数ＩＣタグから階数情報を受信機が受信して、同階数情報を記録装置がメモリに記録し、また、揚重終了階では、同階に対応する階数ＩＣタグから階数情報を受信機が受信して、同階数情報を記録装置がメモリに記録する。よって、仮設エレベータに対して大きな改造をすることなく、資機材等の揚重対象物の揚重開始階実績情報及び揚重終了階実績情報を記録可能となる。
また、揚重開始階実績情報に対応付けて工事担当者特定情報もメモリに記録するので、その後に工事担当者を把握したい時に容易に把握可能となって、利便性が向上する。
また、乗り篭の受信機は、工事担当者に取り付けられた工事担当者ＩＣタグから工事担当者特定情報を取得し、そして、この工事担当者特定情報に基づいて、記録装置は、データベースから、工事担当者の資機材候補情報を抽出して表示部に表示する。よって、乗り篭内に搬入された資機材に対応する情報を記録装置のメモリに記録する際には、資機材候補情報の中から該当する資機材を選択すれば良く、これにより、当該資機材に係る情報の記録を容易且つ短時間で行うことができる。  
また、上記方法によれば、資機材にＩＣタグを取り付けなくても良いので、労力の軽減を図れる。
【００１４】
請求項２に示す発明は、請求項１に記載の仮設エレベータを用いた揚重対象物の揚重方法であって、
前記揚重対象物には、工事の資機材が含まれ、
前記資機材には、当該資機材を特定する資機材特定情報が組み込まれた資機材ＩＣタグが取り付けられており、
前記揚重対象物特定情報記録ステップでは、前記資機材ＩＣタグが送信する前記資機材特定情報を前記受信機が受信して、当該資機材特定情報を、前記揚重対象物特定情報として前記記録装置が前記メモリに記録することを特徴とする。
【００１５】
上記請求項２に示す発明によれば、乗り篭の受信機は、資機材に取り付けられた資機材ＩＣタグから資機材特定情報を取得し、そして、この資機材特定情報を、前述の揚重対象物特定情報として記録装置がメモリに記録する。よって、乗り篭内に搬入された資機材を特定するための揚重物特定情報のメモリへの記録は、自動的になされ、その結果、大幅な作業負荷軽減を図れる。
【００１６】
請求項３に示す発明は、請求項１又は２に記載の仮設エレベータを用いた揚重対象物の揚重方法であって、
前記揚重開始階実績情報記録ステップでは、前記受信機が受信する複数の前記階数情報のうちで最も電波の受信強度が大きい階数情報を、前記揚重開始階実績情報として前記メモリに記録し、
前記揚重終了階実績情報記録ステップでは、前記受信機が受信する複数の前記階数情報のうちで最も電波の受信強度が大きい階数情報を、前記揚重終了階実績情報として前記メモリに記録することを特徴とする。
【００１７】
上記請求項３に示す発明によれば、揚重開始階実績情報記録ステップ及び揚重終了階実績情報記録ステップでは、それぞれ、受信強度の最も大きい階数情報を、揚重開始階実績情報及び揚重終了階実績情報としてメモリに記録する。よって、これら揚重開始階実績情報及び揚重終了階実績情報を正確且つ確実に記録可能となる。
【００１８】
請求項４に示す発明は、請求項１乃至３の何れかに記載の仮設エレベータを用いた揚重対象物の揚重方法であって、
前記揚重開始階実績情報記録ステップでは、前記揚重開始階実績情報に対応付けて、揚重開始に係る時刻情報が、揚重開始時刻実績情報として前記メモリに記録され、
前記揚重終了階実績情報記録ステップでは、前記揚重終了階実績情報に対応付けて、揚重終了時刻に係る時刻情報が、揚重終了時刻実績情報として前記メモリに記録されることを特徴とする。
【００１９】
上記請求項４に示す発明によれば、揚重開始階実績情報記録ステップ及び揚重終了階実績情報記録ステップでは、それぞれ揚重開始時刻実績情報及び揚重終了時刻実績情報が記録される。よって、その後に揚重作業の様子を時系列で容易に把握可能となる。
【００２０】
請求項５に示す発明は、請求項１乃至４の何れかに記載の仮設エレベータを用いた揚重対象物の揚重方法であって、
前記揚重対象物には、建設現場の現場関係者又は見学者が含まれ、
前記現場関係者又は見学者には、当該現場関係者又は見学者を特定する関係者特定情報が組み込まれた関係者ＩＣタグが取り付けられており、
前記揚重対象物特定情報記録ステップでは、前記関係者ＩＣタグが送信する前記関係者特定情報を前記受信機が受信して、当該関係者特定情報を、前記揚重対象物特定情報として前記記録装置が前記メモリに記録することを特徴とする仮設エレベータを用いた揚重対象物の揚重方法。
【００２１】
上記請求項５に示す発明によれば、乗り篭の受信機は、現場関係者又は見学者に取り付けられた関係者ＩＣタグから関係者特定情報を取得し、そして、この関係者特定情報を、前述の揚重対象物特定情報として記録装置がメモリに自動的に記録する。よって、乗り篭内に搭乗した現場関係者又は見学者の仮設エレベータの搭乗実績を容易に記録できて、その後の搭乗履歴管理に役立てることができる。
【発明の効果】
【００２２】
本発明によれば、仮設エレベータに対して大きな改造をせずに、資機材の揚重開始階や揚重終了階の実績を記録可能となる。
【図面の簡単な説明】
【００２３】
【図１】第１実施形態に係る仮設エレベータの概略斜視図である。
【図２】工事担当者特定情報に対応付けて予めデータベースに登録された資機材候補情報の説明図である。
【図３】記録装置３８のハードディスク装置３８ｈに記録される揚重実績情報の説明図である。
【図４】第２実施形態に係る仮設エレベータの概略斜視図である。
【発明を実施するための形態】
【００２４】
＝＝＝第１実施形態＝＝＝
図１は、第１実施形態に係る仮設エレベータの概略斜視図である。仮設エレベータは、建設現場で揚重対象物としての資機材９０，９０…を各階に揚重すべく工事期間中に一時的に設けられるエレベータであり、つまり、基本的に工事完了後には撤去されるものである。
【００２５】
かかる仮設エレベータは、上下昇降する乗り篭１２と、乗り篭１２が上下昇降するための空間（昇降路）たるエレベータシャフトＥＶＳと、を有する。なお、この例では、最下階を一階としているが、最下階を地下階としても良いし、或いは二階以上の地上階を最下階としても良い。
【００２６】
エレベータシャフトＥＶＳは、例えば、乗り篭１２の左右両脇に設けられた各支柱１６，１６によってこれら支柱１６，１６同士の間に区画された空間である。そのため、各支柱１６，１６には、エレベータの揚重可能階数に対応する高さ寸法の柱状部材が使用されている。ちなみに、この例では、乗り篭１２の左右に一対の支柱１６，１６が設けられているが、乗り篭１２の四つの各隅角部に対応させて、それぞれ支柱１６（つまり、合計４本の支柱１６）を設けても良い。
【００２７】
乗り篭１２は、例えば鋼製網目状の箱体であり、その正面部分には、資機材９０を乗り篭１２へ搬出入するための開閉扉（不図示）が設けられている。なお、乗り篭１２は網目状であるので、後述するＩＣタグ３２ｋ，３２ｗ…とＩＣタグリーダー３６との間の電波による無線通信も何等問題無く実行可能である。
【００２８】
乗り篭１２の昇降駆動機構には、例えばラック＆ピニオン駆動機構が使用されている。すなわち、乗り篭１２には電動モータ（不図示）で駆動回転するピニオンギア（不図示）が設けられ、他方、支柱１６には、ラックギア（不図示）が高さ方向に延在して固定されている。そして、ピニオンギアとラックギアとは互いに噛み合っており、よって、電動モータでピニオンギアを駆動回転することで、乗り篭１２が昇降動作を行うようになっている。但し、この昇降駆動機構は、何等これに限るものではない。例えば、エレベータシャフトＥＶＳの上部に巻き上げ機を設け、この巻き上げ機によって、乗り篭を吊下支持する吊りワイヤーを巻き上げ下げすることで乗り篭１２を昇降駆動しても良い。
【００２９】
かかる仮設エレベータの運転操作は、既述のように乗り篭１２に同乗する専属のオペレータＯＰによってなされる。また、揚重作業についても既述の手順でなされる。すなわち、依頼元の工事担当者Ｗが資機材管理者（不図示）に資機材９０の揚重を依頼し、資機材管理者がその旨をオペレータＯＰに指示などして、オペレータＯＰは工事担当者Ｗと協同して資機材９０の揚重作業を行う。
【００３０】
このような仮設エレベータには、資機材９０の揚重実績を記録して管理する揚重実績管理システムが装備されている。
【００３１】
この揚重実績管理システムは、工事現場の各階に対応させて支柱１６に設けられた階数ＩＣタグ３２ｋ，３２ｋ…と、工事担当者に付与された工事担当者ＩＣタグ３２ｗ，３２ｗ…と、これら各種ＩＣタグ３２ｋ，３２ｗ…が送信する階数情報や工事担当者特定情報などを無線で受信すべく乗り篭１２に設けられたＩＣタグリーダー３６（受信機に相当）と、ＩＣタグリーダー３６が受信した階数情報や工事担当者特定情報を記録する記録装置３８と、を有する。
【００３２】
各階数ＩＣタグ３２ｋ，３２ｋ…には、階数を特定する階数情報が組み込まれている。そして、担当する階の階数情報を電波で送信する。例えば、１階を担当する階数ＩＣタグ３２ｋは、支柱１６における１階高さ相当部分に取り付けられており、当該階数ＩＣタグ３２ｋには、階数情報として１階である旨を示す情報が組み込まれている。そして、当該情報たる１階情報を電波で送信する。また、２階を担当する階数ＩＣタグ３２ｋは、支柱１６における２階高さ相当部分に取り付けられており、当該階数ＩＣタグ３２ｋには、階数情報として２階である旨を示す情報が組み込まれている。そして、当該情報たる２階情報を電波で送信する。
【００３３】
ちなみに、ＩＣタグとは、所謂ＲＦＩＤ（Radio  frequency  identification）の一種であり、つまり、ＩＣタグリーダー３６の通信可能範囲に入ると、ＩＣタグリーダー３６から電波で送信されるＩＣタグ作動用信号に応答する形で作動して、階数情報等の組み込まれた情報を電波で返信するものである。
【００３４】
工事担当者ＩＣタグ３２ｗは、工事担当者Ｗに取り付けられて基本的に工事作業中携帯される。工事担当者ＩＣタグ３２ｗには、工事担当者を特定する工事担当者特定情報が組み込まれており、例えば、会社毎に個別の工事担当者特定情報が組み込まれている。具体的には、Ａ社の工事担当者ＩＣタグ３２ｗには、工事担当者特定情報として、Ａ社関係者である旨を示す情報が組み込まれており、Ｂ社関係者の工事担当者ＩＣタグには、工事担当者特定情報として、Ｂ社である旨を示す情報が組み込まれている。
【００３５】
ＩＣタグリーダー３６は、乗り篭１２内に設置されている。そして、常時、或いは付属の読み取りボタン３６ｂの押圧操作等をトリガーとして、当該リーダー３６の通信可能範囲内のＩＣタグ３２ｋ，３２ｗに向けてＩＣタグ作動用信号を送信する。そして、当該作動用信号に応答する形でＩＣタグ３２ｋ，３２ｗから返信される情報をＩＣタグリーダー３６は受信し、これにより、ＩＣタグ３２ｋ，３２ｗの情報を読み取る。なお、この例では、ＩＣタグリーダー３６の読み取りボタン３６ｂの押圧操作によってＩＣタグ３２ｋ，３２ｗから各種情報を読み取るように構成されているが、読み取り動作を行うトリガーは、何等これに限らない。また、ＩＣタグリーダー３６が受信した情報は、逐次記録装置３８へ送信されて同記録装置３８に記録される。
【００３６】
かかる階数ＩＣタグ３２ｋは、各階に設けられることから、場合によっては、ＩＣタグ作動用信号に対して複数の階数ＩＣタグ３２ｋ，３２ｋ…が応答して、これによりＩＣタグリーダー３６は複数の階数情報を受信する虞がある。そのため、望ましくは、ＩＣタグリーダー３６の通信可能範囲を、例えば階高一つ分以上二つ分未満などに制限して設定すると良い。そうすれば、乗り篭１２の停止階に対応する階数ＩＣタグ３２ｋだけが、読み取りボタン３６ｂの押圧操作に応答するようになって、これにより、乗り篭１２の停止階に対応した階数ＩＣタグ３２ｋの階数情報のみを選択的に取得して記録可能となる。
【００３７】
但し、場合によっては、上記のようなＩＣタグリーダー３６の通信可能範囲の制限によらずに、ＩＣタグリーダー３６が受信する電波の受信強度（ＲＳＳＩ）に基づいて、乗り篭１２の停止階の階数情報を選択的に取得しても良い。すなわち、乗り篭１２の停止階に対応する階数ＩＣタグ３２ｋは、他の階の階数ＩＣタグ３２ｋ，３２ｋ…よりもＩＣタグリーダー３６との距離が近いので、当該停止階の階数ＩＣタグ３２ｋから送信される階数情報の電波の受信強度は、他の階の階数ＩＣタグ３２ｋ，３２ｋ…から送信される電波の受信強度よりも大きいはずである。よって、ＩＣタグリーダー３６が受信した複数の階数情報のうちで電波の受信強度が最も大きい階数情報を、真正の階数情報として記録装置３８に送信するようにしても良い。
【００３８】
記録装置３８は、例えばパーソナルコンピュータである。すなわち、プロセッサと、メモリの一例としてのハードディスク装置３８ｈと、表示部の一例としてのモニタ３８ｍと、入力操作部３８ｉの一例としてのキーボードやマウスと、ＬＡＮ等の通信回線に接続する通信インターフェースと、を有する。そして、入力操作部３８ｉからの入力等に基づいて、プロセッサが、ハードディスク装置３８ｈに予め格納されたプログラムを適宜読み出して実行することにより、ハードディスク装置３８ｈへの各種情報の記録処理や、モニタへの情報の表示処理等を行う。なお、以下の説明では、これらの処理を記録装置３８が行っているように記載しているが、実際にはプロセッサがハードディスク装置３８ｈと協同して行っている。
【００３９】
記録装置３８は、通信インターフェースを介してＩＣタグリーダー３６から逐次送信される階数情報などの各種情報を、互いに関連付けてハードディスク装置３８ｈに記録する。例えば、階数情報に関連付けて、読み取りボタン３６ｂの押圧操作時の時刻情報などを記録する。なお、当該時刻情報は、例えば記録装置３８に内蔵のクロックから随時取得され、揚重開始時刻実績情報及び揚重終了時刻実績情報のどちらかとして記録される。
【００４０】
また、記録装置３８は、乗り篭１２に搬入された資機材９０を特定する情報を、資機材特定情報としてハードディスク装置３８ｈに記録する。この資機材特定情報の記録装置３８への入力は、例えば、乗り篭１２に搬入された資機材９０，９０…をオペレータＯＰが目視確認しながら、これら資機材９０，９０…に対応する名称や製品番号等の情報を、キーボードやマウスなどの入力操作部３８ｉを用いて手入力することでなされる。
【００４１】
但し、当該手入力の負荷軽減を図るべく、本第１実施形態では、次のような工夫がなされている。先ず、ハードディスク装置３８ｈには、資機材９０，９０…に関するデータベースが設けられている。すなわち、このデータベースには、図２に示すように、工事担当者Ｗを特定する工事担当者特定情報に対応付けて、その工事担当者Ｗが使用すべき資機材の候補を示す情報が、資機材候補情報として予め登録されている。そして、工事担当者Ｗが乗り篭１２に搭乗等することで工事担当者ＩＣタグ３２ｗがＩＣタグリーダー３６の通信可能範囲に入った場合に、更にオペレータＯＰがＩＣタグリーダー３６の読み取りボタン３６ｂを押圧すると、工事担当者ＩＣタグ３２ｗからＩＣタグリーダー３６へ向けて工事担当者特定情報が送信される。そして、この工事担当者特定情報は、速やかにＩＣタグリーダー３６から記録装置３８へと送信されるが、ここで、当該記録装置３８は、この工事担当者特定情報をキーとして上記のデータベース（図２）を参照することにより、データベースから、工事担当者特定情報に対応する資機材候補情報を抽出して記録装置３８のモニタ３８ｍに表示するように構成されている。よって、オペレータＯＰは、かかる絞り込まれた資機材候補情報の中から、該当する資機材９０，９０…の情報を選択して入力すれば良く、その結果、当該入力操作の作業負荷が大幅に軽減されることになる。
【００４２】
なお、このようにしてハードディスク装置３８ｈに記録された資機材特定情報や階数情報などは、例えばＬＡＮ等の通信回線を経由して遠方の工事事務所の管理用コンピュータ等に定期的に送信され、当該管理用コンピュータにおいて揚重実績の集計や帳票作成などに供される。
【００４３】
このような仮設エレベータ及び揚重実績管理システムは、次のようにして構築される。  
先ず、建設現場に仮設エレベータの支柱１６，１６を立設する。この例では、立設前に予めラックギアを支柱１６，１６に固定済みであるが、支柱１６，１６の立設後にラックギアを固定しても良い。また、支柱１６にあっては、高さ方向に分割された複数の分割部材を高さ方向に積み上げて形成されても良い。
【００４４】
そうしたら、支柱１６，１６同士の間の位置に乗り篭１２を配置する（仮設エレベータ設置ステップに相当）。このとき、乗り篭１２のピニオンギアは支柱１６のラックギアに噛み合わせられる。
【００４５】
次に、支柱１６における各階に対応する部位に、それぞれ階数ＩＣタグ３２ｋ，３２ｋ…を取り付ける（階数ＩＣタグ設置ステップ）。また、乗り篭１２内にＩＣタグリーダー３６及び記録装置３８を設置する（受信機設置ステップ、記録装置設置ステップに相当）。ちなみに、階数ＩＣタグ３２ｋは、支柱１６の立設前に支柱１６に取り付け済みであっても良く、同様にＩＣタグリーダー３６及び記録装置３８も、乗り篭１２の支柱１６，１６間への配置前に、同乗り篭１２に設置済みであっても良い。
【００４６】
このようにして構築された仮設エレベータ及び揚重実績管理システムは、次のようにして資機材９０の揚重に使用される。なお、以下では、１階フロアの仮置きエリアＡ１に仮置きされている資機材９０を３階に揚重する場合を例に説明するが、これは一例に過ぎず何等これに限るものではない。例えば、３階フロアに仮置きされている資機材９０を５階に揚重しても良いし、逆に、５階フロアに仮置きされている資機材９０を３階に揚重しても良い。更に以下の説明では、工事担当者は「Ａ社社員」であるものとし、また、揚重対象の資機材９０は、「Ａ１部材」及び「Ａ２部材」であるものとする。
【００４７】
先ず、図１に示すように、オペレータＯＰは仮設エレベータを操作して、揚重開始階としての１階に乗り篭１２を移動して停止させる。そして、１階フロアで待機していた工事担当者Ｗと協同して、揚重対象物としての資機材９０を１階フロアの仮置きエリアＡＲ１から乗り篭１２内に搬入する（揚重対象物搬入ステップに相当）。
【００４８】
次に、オペレータは、ＩＣタグリーダー３６の読み取りボタン３６ｂを押圧する。すると、ＩＣタグリーダー３６は、現時点の停止階たる１階の階数ＩＣタグ３２ｋから階数情報として１階情報を受信して、同情報を記録装置３８に送信する。すると、記録装置３８では、受信した１階情報を揚重開始階実績情報としてハードディスク装置３８ｈに記録するとともに、当該１階情報と対応付けながら、読み取りボタン３６ｂの押圧時の時刻を示す時刻情報（この例では、１０：１０）も、揚重開始時刻実績情報として同ハードディスク装置３８ｈに記録する（揚重開始階実績情報記録ステップに相当）。
【００４９】
また、上述の読み取りボタン３６ｂの押圧時には、工事担当者Ｗは乗り篭１２に同乗しているか或いはその近傍に居るので、必然的に工事担当者ＩＣタグ３２ｗはＩＣタグリーダー３６の通信可能範囲内に位置している。よって、ＩＣタグリーダー３６は、上述の１階情報の受信と略同時並行で、工事担当者ＩＣタグ３２ｗから工事担当者特定情報（この例では、Ａ社）を受信し、同情報を記録装置３８に送信する。
【００５０】
すると、記録装置３８では、上述の１階情報に対応付けて、この工事担当者特定情報もハードディスク装置３８ｈに記録するが、このときには、記録装置３８は、更に、当該工事担当者特定情報（Ａ社）をキーとしてデータベース（図２）を参照して、データベースから、この工事担当者特定情報に対応する資機材候補情報（この例では、Ａ１部材〜Ａ３部材、及びＡ４装置、Ａ５装置）を取得してモニタ３８ｍに表示する。そして、これを見たオペレータＯＰは、当該資機材候補情報（Ａ１部材〜Ａ３部材及びＡ４装置、Ａ５装置）の中から、今回乗り篭１２内に実際に搬入した資機材９０に該当するもの（この例では、Ａ１部材及びＡ２部材）を、入力操作部３８ｉの操作によって入力し、これにより、上記１階情報に対応付けて資機材特定情報（Ａ１部材、Ａ２部材）もハードディスク装置３８ｈに記録される（揚重対象物特定情報記録ステップに相当）。
【００５１】
そうしたら、オペレータＯＰは、仮設エレベータを運転操作して乗り篭１２を揚重目標階の３階へ移動することにより、資機材９０を同階へ搬送する（揚重対象物搬送ステップに相当）。なお、このとき、工事担当者Ｗも乗り篭１２に同乗しており、資機材９０と一緒に揚重目標階へ移動する。
【００５２】
そして、揚重目標階の３階に乗り篭１２が到着して停止したら、オペレータＯＰはＩＣタグリーダー３６の読み取りボタン３６ｂを再度押圧する。すると、ＩＣタグリーダー３６は、現時点の停止階たる３階の階数ＩＣタグ３２ｋから階数情報として３階情報を受信して、同情報を記録装置３８に送信する。すると、記録装置３８では、受信した３階情報を揚重終了階実績情報としてハードディスク装置３８ｈに記録するとともに、当該３階情報と対応付けながら、読み取りボタン３６ｂの押圧時の時刻を示す時刻情報（この例では、１０：３０）を揚重終了時刻実績情報として同ハードディスク装置３８ｈに記録する（揚重終了階実績情報記録ステップに相当）。
【００５３】
また、これと同時或いは相前後して、乗り篭１２の停止中に乗り篭１２内の資機材９０を３階フロアへと搬出し（揚重対象物搬出ステップに相当）、これにより、資機材９０の揚重作業が終了する。
【００５４】
なお、この第１実施形態に係る揚重実績管理システムによれば、上述のように、揚重作業に対応させて各種情報を記録するので、その結果として、最終的に同システムの記録装置３８には、揚重作業に対応する揚重実績情報として図３のような情報が記録されることになる。すなわち、揚重開始階実績情報ＤＫｓ及び揚重終了階実績情報ＤＫｅとして、それぞれ「１階」及び「３階」が記録されており、揚重開始時刻実績情報ＤＴｓ及び揚重終了時刻実績情報ＤＴｅとして、読み取りボタン３６ｂの１回目の押圧時刻の「１０：１０」及び２回目の押圧時刻の「１０：３０」が記録されており、資機材特定情報ＤＳとして、「Ａ１部材」及び「Ａ２部材」が記録されており、工事担当者特定情報ＤＷとして、「Ａ社」が記録されている。
【００５５】
ところで、建設工事の完了後には仮設エレベータは基本的に撤去される旨を前述したが、ここでこの撤去手順について説明する。  
先ず、図１の乗り篭１２が支柱１６，１６から取り外され、また支柱１６，１６が建設現場の敷地から取り外される。この乗り篭１２の支柱１６からの取り外しに相前後して、乗り篭１２からはＩＣタグリーダー３６や記録装置３８が取り外され、また支柱１６の取り外しに相前後して階数ＩＣタグ３２ｋ，３２ｋ…も支柱１６から取り外される。なお、階数ＩＣタグ３２ｋについては支柱１６に取り付けたまま放置しておいても良い。また、支柱１６が複数の分割部材から構成される場合には、例えばクレーン等を用いて、上方の分割部材を先に取り外して地上に降ろし、かかる取り外し作業を順次下方の分割部材に対して行うことによって支柱１６は解体される。
【００５６】
＝＝＝第２実施形態＝＝＝
上述の第１実施形態では、資機材９０にはＩＣタグを取り付けていなかった。そのため、乗り篭１２に搬入した資機材９０に対応する資機材特定情報の記録装置３８への入力を、オペレータＯＰが手入力で行っていたが、何等これに限るものではない。例えば、資機材特定情報が組み込まれた資機材ＩＣタグ３２ｓを資機材９３，９３…毎に取り付けても良いし、或いは、図４の概略斜視図に示すように、複数の資機材９３，９３…からなる一群の資機材グループＧ９３を代表して、同グループＧ９３に属する資機材９３，９３…のうちの何れかの資機材９３に資機材ＩＣタグ３２ｓを取り付けても良い。
【００５７】
そして、このようにすれば、ＩＣタグリーダー３６の読み取りボタン３６ｂが押圧された際に、ＩＣタグリーダー３６から送信されるＩＣタグ作動用信号に応答する形で、乗り篭１２内の資機材９３の資機材ＩＣタグ３２ｓからは資機材特定情報がＩＣタグリーダー３６へと送信され、これにより、記録装置３８には、揚重開始階実績情報と対応付けて、資機材特定情報が記録されることになる。よって、オペレータＯＰの手入力を無くすことができる。
【００５８】
ちなみに、この第２実施形態では、オペレータＯＰの手入力が無くなることから、第１実施形態で行っていた、工事担当者特定情報に基づく資機材候補情報のモニタ３８ｍへの表示処理も行わなくて良い。
【００５９】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得ると共に、本発明にはその等価物が含まれるのはいうまでもない。例えば、以下に示すような変形が可能である。
【００６０】
上述の実施形態では、仮設エレベータが揚重する揚重対象物の一例として資機材９０（９３）を示したが、この揚重対象物の概念には、建設現場の現場関係者（現場作業者や現場監督など）又は見学者も含まれる。なお、その場合には、現場関係者又は見学者を特定する関係者特定情報が組み込まれたＩＣタグを、現場関係者又は見学者毎、或いは選択された現場関係者又は見学者に工事作業中又は見学中携帯させても良い。そして、このようにすれば、かかる現場関係者又は見学者が乗り篭１２に搭乗した際に、オペレータＯＰがＩＣタグリーダー３６の読み取りボタン３６ｂを押圧すれば、現場関係者又は見学者が携帯するＩＣタグから関係者特定情報がＩＣタグリーダー３６を経由して記録装置３８に記録されるので、現場関係者又は見学者の仮設エレベータの搭乗実績を容易に記録できて、その後の搭乗履歴管理に役立てることができる。
【００６１】
上述の実施形態では、階数ＩＣタグ３２ｋを仮設エレベータの支柱１６に取り付けていたが、取り付け対象部材は何等これに限らない。すなわち、工事の略全期間に亘ってエレベータシャフトＥＶＳの近傍に存在する部材であれば、当該部材に階数ＩＣタグ３２ｋを取り付けても良い。例えば、仮設エレベータのエレベータシャフトＥＶＳの周囲を覆いつつ全高に亘って設けられる防護用ネットに取り付けても良いし、仮設エレベータの仮設前からその近傍に建設対象の建物躯体が存在する場合には、当該建物躯体に階数ＩＣタグ３２ｋを取り付けても良い。ちなみに、建物躯体に取り付けた場合には、工事完了後に階数ＩＣタグ３２ｋを撤去しなくても良く、つまり取り付けたままにしても構わない。
【００６２】
上述の実施形態では、ＩＣタグリーダー３６の読み取りボタン３６ｂをオペレータＯＰが押圧することによって、ＩＣタグリーダー３６は各種ＩＣタグ３２ｋ，３２ｗ，３２ｓの情報を読み取っていたが、何等これに限るものではない。例えば、ＩＣタグリーダー３６の通信可能範囲にＩＣタグ３２ｋ，３２ｗ，３２ｓが入ったら、自動的にＩＣタグ３２ｋ，３２ｗ，３２ｓの情報の読み取りを行うように構成しても良い。より具体的には、ＩＣタグ３２ｋ，３２ｗ，３２ｓは、自身に組み込まれた情報を常時送信するように構成され、そして、ＩＣタグリーダー３６とＩＣタグ３２ｋ，３２ｗ，３２ｓとの相対距離が小さくなって、ＩＣタグ３２ｋ，３２ｗ，３２ｓから送信される情報をＩＣタグリーダー３６が受信する際の電波の受信強度が、所定の閾値よりも大きくなるとともに、この受信強度が大きい状態が既定時間以上継続したら、ＩＣタグリーダー３６が、受信した情報を記録装置３８へと送信するように構成されても良い。そして、このようにＩＣタグ３２ｋ，３２ｗ，３２ｓ及びＩＣタグリーダー３６を構成すれば、乗り篭１２が揚重開始階に到着して既定時間だけ停止すれば、その停止階の階数ＩＣタグ３２ｋから自動的に揚重開始階に係る階数情報をＩＣタグリーダー３６は取得して記録装置３８に記録し、また、揚重終了階に到着して既定時間だけ停止すれば、その停止階の階数ＩＣタグ３２ｋから自動的に揚重終了階に係る階数情報をＩＣタグリーダー３６は取得して記録装置３８に記録することができる。また、図４の資機材９３が乗り篭１２に搬入されて既定時間だけ経過すれば、資機材９３に取り付けられた資機材ＩＣタグ３２ｓから資機材特定情報をＩＣタグリーダー３６は取得して記録装置３８に記録することができ、更に、図１の工事担当者Ｗが乗り篭１２に搭乗して既定時間だけ経過すれば、工事担当者ＩＣタグ３２ｗから工事担当者特定情報をＩＣタグリーダー３６は取得して記録装置３８に記録することができる。
【００６３】
上述の実施形態では、記録装置３８を乗り篭１２内に設置していたが、その設置位置は何等これに限らない。つまり、ＩＣタグリーダー３６との間で各種情報を通信可能に接続されているのであれば、記録装置３８は、例えば乗り篭１２の外の適宜なフロアに設置されていても良い。
【符号の説明】
【００６４】
１２  乗り篭、１６  支柱、
３２ｋ  階数ＩＣタグ、３２ｓ  資機材ＩＣタグ、３２ｗ  工事担当者ＩＣタグ、
３６  ＩＣタグリーダー（受信機）、３６ｂ  読み取りボタン、
３８  記録装置、３８ｈ  ハードディスク装置（メモリ）、３８ｉ  入力操作部、
３８ｍ  モニタ（表示部）、
９０  資機材（揚重対象物）、９３  資機材（揚重対象物）、
ＯＰ  オペレータ、Ｗ  工事担当者、
ＡＲ１  仮置きエリア、ＥＶＳ  エレベータシャフト、
Ｇ９３  資機材グループ
【図１】
0005915156.tif 000002
【図２】
0005915156.tif 000003
【図３】
0005915156.tif 000004
【図４】
0005915156.tif 000005